(57)【特許請求の範囲】
【請求項１】
郵便箱体１と合成樹脂製の台座体２と支柱３とより成り、且つ箱体底板４の中心に中心ネジ孔５と、中心ネジ孔５より離れた数個の第１多数ネジ孔６，６・・・を設けて郵便箱体１を形成し、又台座板１３の中心にネジ挿入筒孔７を有したネジ挿入縦状筒８を設け、更に挿入縦状筒８を中心として下方を開口した支柱挿入用間隙部９を備えた円筒状の内周縦状壁面板１０と、角筒状の外周縦状壁面板１１を設け、又更に外周縦状壁面板１１は内周縦状壁面板１０より下方に食み出して形成し、この食み出した壁面の相対する中心に横孔１２，１２を設けると共に台座板１３に郵便箱体１の箱体底板４に設けた数個の第１多数ネジ孔６，６・・・に対応した第２多数ネジ孔１４，１４・・・を設けて台座体２を形成し、又外周縦状壁面板１１に設けた横孔１２，１２に対応した上部横孔１５，１５を設けると共に支柱挿入用間隙部９に備えた円筒状の内周縦状壁面板１０に外嵌する円筒状管１６又は角筒状の外周縦状壁面板１１に内嵌する角筒状管２０で支柱３を形成し、且又第１多数ネジ孔６，６・・・と第２多数ネジ孔１４，１４・・・に挿入締付ける多数のネジ杆１７，１７・・・と、中心孔２１を設けた押え金具板２２を形成し、又更に押え金具板２２の中心孔２１と箱体底板４の中心ネジ孔５とネジ挿入筒孔７に挿入する第２螺杆２３と該第２螺杆２３に螺合する第２締付ナット２４を具備し、又横孔１２，１２と上部横孔１５，１５に挿入する第１螺杆１８と該第１螺杆１８に螺合する第１締付ナット１９とを具備したことを特徴とする郵便受け。
【発明の詳細な説明】
【０００１】
【産業上の利用分野】
この発明は屋外に支柱を立設し、該支柱に郵便箱体を簡便確実に取付けるに好適な郵便受けに関するものである。
【０００２】
【従来の技術】
従来より、郵便箱体を屋外に立設した支柱に取付けるようにした多種多様な郵便受けは知られている。
【０００３】
【発明が解決しようとする問題点】
ところで、従来の郵便箱体を屋外に立設した支柱に取付けたものは郵便箱体を安定よく、更に円筒状の支柱及び角筒状の支柱に簡便且つ堅牢に取付けることができない等の欠点があつた。
【０００４】
この発明は、上記の問題点を解決したもので、円筒状又は角筒状の支柱に郵便箱体を安定よく、且つ強固で簡便に取付けることができて使用便利な郵便受けを得ることを目的としたものである。
【０００５】
【問題点を解決するための手段】
上記の目的を達成するためのこの発明は、郵便箱体１と合成樹脂製の台座体２と支柱３とより成り、且つ箱体底板４の中心に中心ネジ孔５と、中心ネジ孔５より離れた数個の第１多数ネジ孔６，６・・・を設けて郵便箱体１を形成し、又台座板１３の中心にネジ挿入筒孔７を有したネジ挿入縦状筒８を設け、更に挿入縦状筒８を中心として下方を開口した支柱挿入用間隙部９を備えた円筒状の内周縦状壁面板１０と、角筒状の外周縦状壁面板１１を設け、又更に外周縦状壁面板１１は内周縦状壁面板１０より下方に食み出して形成し、この食み出した壁面の相対する中心に横孔１２，１２を設けると共に台座板１３に郵便箱体１の箱体底板４に設けた数個の第１多数ネジ孔６，６・・・に対応した第２多数ネジ孔１４，１４・・・を設けて台座体２を形成し、又外周縦状壁面板１１に設けた横孔１２，１２に対応した上部横孔１５，１５を設けると共に支柱挿入用間隙部９に備えた円筒状の内周縦状壁面板１０に外嵌する円筒状管１６又は角筒状の外周縦状壁面板１１に内嵌する角筒状管２０で支柱３を形成し、且又第１多数ネジ孔６，６・・・と第２多数ネジ孔１４，１４・・・に挿入締付ける多数のネジ杆１７，１７・・・と、中心孔２１を設けた押え金具板２２を形成し、又更に押え金具板２２の中心孔２１と箱体底板４の中心ネジ孔５とネジ挿入筒孔７に挿入する第２螺杆２３と該第２螺杆２３に螺合する第２締付ナット２４を具備し、又横孔１２，１２と上部横孔１５，１５に挿入する第１螺杆１８と該第１螺杆１８に螺合する第１締付ナット１９とを具備したものである。
【０００６】
【実施例】
以下この発明の実施例を図１乃至図１６について説明すると、郵便箱体１と合成樹脂製の台座体２と支柱３とより成り、屋外に立設した支柱３に台座体２を介して郵便箱体１を取付けたものである。
【０００７】
又郵便箱体１の箱体底板４の中心に中心ネジ孔５と、中心ネジ孔５より離れた数個の第１多数ネジ孔６，６・・・を設けたものである（図１参照）。
【０００８】
又台座板１３の中心部で一体的に凹部周壁面２６を凹設した中心にネジ挿入筒孔７を有したネジ挿入縦状筒８を設け、更に挿入縦状筒８を中心として下方を開口した支柱挿入用間隙筒部９を備え、該支柱挿入用間隙筒部９には内外周に円筒状の内周縦状壁面板１０と、角筒状の外周縦状壁面板１１を設け、更に外周縦状壁面板１１は内周縦状壁面板１０より下方に食み出して形成し、この食み出した壁面の相対する中心に横孔１２，１２を設けると共に台座板１３に郵便箱体１の箱体底板４に設けた数個の第１多数ネジ孔６，６・・・に対応した第２多数ネジ孔１４，１４・・・を設けて台座体２を形成したものである（図２乃至図５、図７乃至図１２、図１４乃至図１６参照）。
【０００９】
又凹部周壁面２６と外周縦状壁面板１１とを連設した凹底面２８に水抜き孔２９を設けて屋外に取付けた台座体２で雨による雨水の貯留を防止したものである（図３、図５、図９、図１０、図１２、図１６参照）。
【００１０】
又外周縦状壁面板１１に設けた横孔１２，１２に対応した上部横孔１５，１５を設けた円筒状管１６の支柱３を台座体２に設けた内周縦状壁面板１０に外嵌するものである（図５、図６、図８、図９参照）。
【００１１】
又第１多数ネジ孔６，６・・・と第２多数ネジ孔１４，１４・・・に挿入締付ける多数のネジ杆１７，１７・・・で郵便箱体１に台座体２を取付けるものである（図７乃至図９、図１１、図１２参照）。
【００１２】
又内周縦状壁面板１０に外嵌した支柱３の円筒状管１６と外周縦状壁面板１１との間に間隙部材２５を装着し、横孔１２，１２と上部横孔１５，１５に第１螺杆１８を挿入し、該第１螺杆１８に第１締付ナット１９を螺合して地面上等に立設した支柱３に郵便箱体１を取付けた台座体２を強固に取付けるものである（図５、図８、図９参照）。
【００１３】
又外周縦状壁面板１１に設けた横孔１２，１２に対応した上部横孔１５，１５を設けた角筒状管２０の支柱３を台座体２に設けた外周縦状壁面板１１に内嵌するものである（図１０乃至図１２参照）。
【００１４】
又外周縦状壁面板１１に内嵌した支柱３の角筒状管２０と外周縦状壁面板１１とは、横孔１２，１２と上部横孔１５，１５に第１螺杆１８を挿入し、該第１螺杆１８に第１締付ナット１９を螺合して地面上等に立設した支柱３に郵便箱体１を取付けた台座体２を強固に取付けるものである（図１１、図１２参照）。
【００１５】
又中心孔２１を設け両側縁に押さ用折曲片２７，２７を備えた押え金具板２２を形成し（図１３参照）、更に押え金具板２２の中心孔２１と箱体底板４の中心ネジ孔５とネジ挿入筒孔７に挿入する第２螺杆２２と該第２螺杆２２に螺合する第２締付ナット２３を具備して郵便箱体１に台座体２を取付けるものである（図１４乃至図１６参照）。
【００１６】
又支柱３と押え金具板２２を用いて郵便箱体１を取付けた台座体２とを横孔１２，１２と上部横孔１５，１５に第１螺杆１８を挿入し、該第１螺杆１８に第１締付ナット１９を螺合して地面上等に立設した支柱３に郵便箱体１を取付けた台座体２を強固に取付けるものである（図１５、図１６参照）。
【００１７】
【発明の作用効果】
この発明は以上のような構成であり、郵便箱体１と合成樹脂製の台座体２と支柱３とより成り、屋外に立設した支柱３に台座体２を介して郵便箱体１を取付けたものである。
【００１８】
又郵便箱体１の箱体底板４の中心に中心ネジ孔５と、中心ネジ孔５より離れた数個の第１多数ネジ孔６，６・・・を設け、更に郵便箱体１を取付ける台座体２の台座板１３には、郵便箱体１の箱体底板４に設けた数個の第１多数ネジ孔６，６・・・に対応した第２多数ネジ孔１４，１４・・・を設けたので第１多数ネジ孔６，６・・・と第２多数ネジ孔１４，１４・・・に挿入締付ける多数のネジ杆１７，１７・・・で郵便箱体１に台座体２を強固に取付けることができるものである。
【００１９】
又台座体２には台座板１３の中心部で一体的に凹部周壁面２６を凹設した中心にネジ挿入筒孔７を有したネジ挿入縦状筒８を設け、更に挿入縦状筒８を中心として下方を開口した支柱取付縦状間隙筒部９を備えた丸い円筒状の内周縦状壁面板１０と、４角の角筒状の外周縦状壁面板１１を設け、更に外周縦状壁面板１１は内周縦状壁面板１０より下方に食み出して形成し、この食み出した壁面の相対する中心に横孔１２，１２を設けたので支柱３が円筒状管１６である場合は、内周縦状壁面板１０に円筒状管１６である支柱３を外嵌し、更に横孔１２，１２と上部横孔１５，１５に第１螺杆１８を挿入し、該第１螺杆１８に第１締付ナット１９を螺合して地面上等に立設した支柱３に郵便箱体１を取付けた台座体２を強固に取付けるものである。
【００２０】
又支柱３が角筒状管２０である場合は、外周縦状壁面板１１に角筒状管２０である支柱３を外嵌し、更に横孔１２，１２と上部横孔１５，１５に第１螺杆１８を挿入し、該第１螺杆１８に第１締付ナット１９を螺合して地面上等に立設した支柱３に郵便箱体１を取付けた台座体２を強固に取付けるものである。
【００２１】
よって円筒状又は角筒状の支柱３である使用者の好みに応じた形状の支柱３に郵便箱体１を取付けることができるものである。
【００２２】
又箱体底板４に設けた中心ネジ孔５を利用して郵便箱体１に台座体２を取付けることができるものでこの郵便箱体１と台座体２との取付けは中心孔２１を設けた押え金具板２２を形成し、更に押え金具板２２の中心孔２１と箱体底板４の中心ネジ孔５とネジ挿入筒孔７に挿入する第２螺杆２３と該第２螺杆２３に螺合する第２締付ナット２４を介して郵便箱体１に台座体２を強固に取付けることがてきて使用上極めて好都合である。
【００２３】
又構造も簡単で製作も容易であり、安価に提供できる等の幾多の産業的効果を奏するものである。
【図面の簡単な説明】
【図１】郵便箱体の一部切欠斜視図である。
【図２】台座体の斜視図である。
【図３】台座体の上面図である。
【図４】台座体の側面図である。
【図５】台座体と円筒状の支柱との関係を示した分解下方斜視図である。
【図６】郵便箱体を円筒状の支柱に取付けた一部切欠斜視図である。
【図７】郵便箱体と台座体との関係を示した斜視図である。
【図８】郵便箱体と台座体と円筒状の支柱との関係を示した正面縦断面図である。
【図９】郵便箱体と台座体と円筒状の支柱との関係を示した側面縦断面図である。
【図１０】台座体と円筒状の支柱との関係を示した分解下方斜視図である。
【図１１】郵便箱体と台座体と角筒状の支柱との関係を示した正面縦断面図である。
【図１２】郵便箱体と台座体と角筒状の支柱との関係を示した側面縦断面図である。
【図１３】押さえ金具板の斜視図である。
【図１４】押さえ金具板と郵便箱体と台座体との関係を示した斜視図である。
【図１５】押さえ金具板と郵便箱体と台座体との関係を示した正面縦断面図である。
【図１６】押さえ金具板と郵便箱体と台座体との関係を示した側面縦断面図である。
【符号の説明】
１  郵便箱体
２  台座体
３  支柱
４  箱体底板
５  中心ネジ孔
６  第１多数ネジ孔
７  ネジ挿入筒孔
８  ネジ挿入縦状筒
９  支柱挿入用間隙部
１０  内周縦状壁面体
１１  外周縦状壁面体
１２  横孔
１３  台座板
１４  第２多数ネジ孔
１５  上部横孔
１６  円筒状管
１７  ネジ杆
１８  第１螺杆
１９  第１締付ナット
２０  角筒状管
２１  中心孔
２２  押え金具板
２３  第２螺杆
２４  第２締付ナット
２５  間隙部材
２６  凹部周壁面
２７  押さ用折曲片
２８  凹底面
２９  水抜き孔
【図１】
0003929521.tif 000002
【図２】
0003929521.tif 000003
【図３】
0003929521.tif 000004
【図４】
0003929521.tif 000005
【図５】
0003929521.tif 000006
【図６】
0003929521.tif 000007
【図７】
0003929521.tif 000008
【図８】
0003929521.tif 000009
【図９】
0003929521.tif 000010
【図１０】
0003929521.tif 000011
【図１１】
0003929521.tif 000012
【図１２】
0003929521.tif 000013
【図１３】
0003929521.tif 000014
【図１４】
0003929521.tif 000015
【図１５】
0003929521.tif 000016
【図１６】
0003929521.tif 000017